(57)【特許請求の範囲】
【請求項１】
炊飯保温の各工程における受付不可能なキーを選定する制御手段を備え、前記制御手段は、前記受付不可能なキーが所定回数操作された場合にデモンストレーションモードを実行してなる炊飯器。
【請求項２】
制御手段は、所定回数のキー操作が所定時間内に行われた場合にのみデモンストレーションモードを実行してなる請求項１記載の炊飯器。
【請求項３】
制御手段は、デモンストレーションモードを所定時間内で自動終了させてなる請求項１記載の炊飯器。
【請求項４】
複数のデモンストレーションモードと、前記複数のデモンストレーションモードに応じた複数のキー操作の組み合わせを有してなる請求項１記載の炊飯器。
【請求項５】
複数のキー操作の組み合わせは、入力回数の相違で実現されてなる請求項４記載の炊飯器。
【発明の詳細な説明】
【０００１】
【発明の属する技術分野】
本発明は、デモンストレーション機能を有する、主に一般家庭で使用される炊飯器に関するものである。
【０００２】
【従来の技術】
以下に従来のデモンストレーション機能を有する炊飯器について説明する。
【０００３】
第１の従来例は、図１に示すように、複数のキーからなるキー入力手段１と、キー入力手段１の出力に応じた処理を行うキー入力処理手段２と、待機、炊飯、保温等の消費者が本来の目的で使用する各モードの処理手順を記憶した第１の記憶手段３と、デモンストレーション（以下デモ）モードにて実行される処理手順を記憶している第２の記憶手段４と、選択されているモードにより第１の記憶手段３あるいは第２の記憶手段４に記憶されている処理手順を選択し、これに従い各モードの処理を行うモード処理手段５と、モード処理手段５からの出力により加熱手段７、表示手段８、報知手段９を駆動する制御手段６から構成される。デモキーは、独立したキーで構成される。
【０００４】
待機モードにおけるキー入力処理手段２の動作は図１０で表され、ステップ１０１において、キー入力手段１の出力がデモキーであるか判定する。デモキーと判定した場合には、ステップ１０２にて、待機モードからデモモードへのモード変更の処理が行われる。デモキーと判定されなかった場合には、ステップ１０３へ進み、他の有効キーの受付判定処理が行われ、キー入力手段１の出力が有効キーであった場合、所定の処理が行われる。ステップ１０２で待機モードからデモモードへ移行した場合、モード処理手段５は第２の記憶手段４に記憶されているデモモードの処理手順に従い処理を行い、制御手段６からの出力により加熱手段７は非加熱状態に保ちつつ、表示手段８、報知手段９を駆動し、各炊飯メニュー動作を簡潔に模したデモが順次繰り返し連続的に行われる。
【０００５】
第２の従来例は、前記第１の従来例と同様の構成をなし、デモキーはデモキー受け付け可能なモードにおける、複数の無効キーの組み合わせによる同時押し（例えば、時キー、分キー、炊き分けメニューキーの同時押し）である。この場合、待機モードにおけるキー入力処理手段２の動作は図１１となる。図１０と同じ番号の箇所は図１０と同じ内容である。ステップ１１１において、キー入力手段１の出力が、デモキーに設定した所定のキーの組み合わせか判定した後、判定結果に基づき、ステップ１０２、ステップ１０３で処理が行われる。
【０００６】
【発明が解決しようとする課題】
上記従来の炊飯器において、デモキーが独立している場合、コストが高くなるという課題があった。デモキーが複数の無効なキーの組み合わせで構成される場合、キー入力が困難であるという課題があった。また、デモキーの受け付けに時間的制約がないため、偶発的にキー入力処理手段がデモキーを受け付け易いという課題があった。また、偶発的にデモモードに移行した場合、キー入力等により意図的にデモモードが解除されない限り、デモモードでの処理が継続されるという課題があった。また従来のデモモードでは、加熱手段を非加熱に保つため、加熱手段の機能説明が行えないという課題があった。
【０００７】
本発明は上記課題を解決するもので、デモキーの入力を容易にすることを目的とする。
【０００８】
【課題を解決するための手段】
上記課題を解決するために、本発明の炊飯器は、炊飯保温の各工程における受付不可能なキーを選定する制御手段を備え、前記制御手段は、前記受付不可能なキーが所定回数の操作された場合にデモンストレーションモードを実行してなるものである。
【０００９】
【発明の実施の形態】
請求項１に記載の発明は、炊飯保温の各工程における受付不可能なキーを選定する制御手段を備え、前記制御手段は、前記受付不可能なキーが所定回数の操作された場合にデモンストレーションモードを実行してなることにより、デモキーの入力を容易に行えるという作用を有する。
【００１０】
請求項２に記載の発明は、キー操作が所定時間内に操作された場合にのみデモンストレーションモードを実行してなることにより、偶発的にデモキーを受け付ける可能性を抑制できるという作用を有する。
【００１１】
請求項３に記載の発明は、デモンストレーションモードを所定時間内で自動終了させてなることにより、偶発的にデモモードに入った場合の安全性を確保できるという作用を有する。
【００１２】
請求項４に記載の発明は、複数のデモンストレーションモードと、前記複数のデモンストレーションモードに応じた複数のキー操作を有してなることにより、機能説明を容易かつ端的に使用実態に則して行うことができるという作用を有する。
【００１３】
請求項５に記載の発明は、複数のキー操作は、入力回数の相違で実現されてなることにより、デモモード毎に偶発的にデモモードに入る可能性を管理できるという作用を有する。
【００１４】
【実施例】
（実施例１）
以下、本発明の請求項１及び請求項２記載の実施例について図１、図２、図３、図４、図５を用いて説明する。
【００１５】
図２に示すように、待機モードにおけるキー入力処理手段２では、キー入力手段１の出力が時キーあるいは分キーであるかをステップ２１にて判定する。キー入力手段１の出力が時キーあるいは分キーである場合、ステップ２２へ進み、現在時刻設定モードへのモード移行処理が行われ、そうでない場合には他の有効キーの受付判定処理が行われる。現在時刻設定モードへの移行は、ステップ２２のみで行われる。現在時刻設定モードにおけるキー入力処理手段は図３で表される。ステップ３１でＬＣＤが点滅中かを判定し、ＬＣＤ点滅中であればステップ３４へ、ＬＣＤ点灯中であればステップ３２へ進む。
【００１６】
ステップ３４ではキー入力があるかないかの判定を行い、あればステップ３５へ進む。ステップ３５でキー入力手段１の出力が切キーであるかを判定し、切キーであればステップ４１で待機モードへのモード移行処理が行われ、切キーでなければステップ３６へ進む。ステップ３６ではキー入力手段１の出力が時キー、分キー、１０分キーのいずれかであるかを判定し、キー入力手段１の出力が時キー、分キー、１０分キーのいずれかであればステップ３７、いずれでもなければステップ４０へ進む。
【００１７】
ステップ３７ではＬＣＤの点滅を解除する処理を行い、ステップ３８にてキー入力手段１の出力に応じた現在時刻の加算処理を行い、ステップ３９で現在時刻設定モードでの動作時間をカウントしているモードタイマを初期化する。ステップ４０では図４で表されるデモキー判定処理を行う。キー入力手段１の出力が、現在時刻設定モードのＬＣＤ点滅中における無効キーの１つである予約キーであるかをステップ４２にて判定を行う。予約キーでなければステップ４７で予約キー受付回数カウンタを初期化しデモキー受付処理を終了する。予約キーであればステップ４３で予約キー受付回数カウンタをインクリメントし、３回受け付けられたかをステップ４４で判定し、受け付けていればステップ４５で予約キー受付回数カウンタを初期化した後、ステップ４６にてデモモードへの移行処理を行う。
【００１８】
予約キー受付回数が３回未満であればステップ４５、４６は行わない。ＬＣＤ点灯中であればステップ３１からステップ３２へ進み、キー入力手段１の出力が、時キー、分キー、１０分キーのいずれかであるかを判定し、キー入力手段１の出力が、時キー、分キー、１０分キーのいずれかである場合には、ステップ３７ステップ３８へ進む。キー入力手段１の出力が、時キー、分キー、１０分キーのいずれでもない場合には、現在時刻設定モードのＬＣＤ点灯中における他の有効キーの受付処理をステップ３３にて行う。
【００１９】
一方、現在時刻設定モードでは図５に示すように、ステップ５１にてモードタイマのカウントを行い、ステップ５２でモードタイマが５秒経過しているか判定する。経過していればステップ５３にて待機モードへの移行処理が行われる。なお、本実施例では現在時刻設定モードのＬＣＤ点滅中における無効キーの１つである予約キーの３回連続入力をデモキーとしているが、現在時刻設定モードのＬＣＤ点滅中における他の無効キーの連続入力をデモキーとすることも可能であり、連続受付回数も特に３回でなくともよい。また、デモキーの受付可能時間を５秒としているが、特に５秒でなくともよい。また、デモキーの受付可能なモードを現在時刻設定モードとしているが、他のモードに設定してもよい。
【００２０】
（実施例２）
以下、本発明の請求項３記載の実施例について図６を中心に用いて説明する。
【００２１】
ステップ６１ではデモモードでの動作時間を測定しており、ステップ６２でデモモードでの動作時間が２５分３６秒を経過しているかを判定する。２５分３６秒経過していればステップ６４にて待機モードへ移行する処理を実行し、経過していなければステップ６３にてデモモードの処理を実行する。なお、本実施例では、デモモードでの動作が２５分３６秒経過すると待機モードへ移行するとしたが、特に２５分３６秒でなくともよい。
【００２２】
（実施例３）
以下、本発明の請求項４記載の実施例について図７、図８を用いて説明する。図７は本実施例の機能ブロック図であり、図１と同じ番号の箇所は図１と同じ構成であるため特に説明は省略する。第３の記憶手段７１には第２の記憶手段４とは異なる内容のデモ内容が記憶されている。図８は本実施例のデモキー受付可能モードにおけるキー入力処理手段２のデモキー入力処理を表すフローチャートであり、図４と同じ番号の箇所は図４と同じ内容である。
【００２３】
ステップ４２でキー入力手段１の出力が予約キーであるか判定を行い、予約キーであればステップ８１へ予約キーでなければステップ８３へ進む。ステップ８１で炊飯キー受付回数カウンタを初期化し、ステップ４３で予約キー受付回数カウンタをインクリメントし、ステップ４４で予約キー受付回数が３回と判定されれば、ステップ４５で予約キー受付回数カウンタの初期化を行った後、ステップ８２にてデモモード１への移行処理を行う。第２の記憶手段４に記憶されたデモモード１では、加熱手段７を非加熱状態に保ったデモが行われる。
【００２４】
ステップ８３ではキー入力手段１の出力が炊飯キーであるか判定を行う。炊飯キーであればステップ８４へ炊飯キーでなければステップ８９へ進む。ステップ８４で予約キー受付回数カウンタを初期化し、ステップ８５で炊飯予約キー受付回数カウンタをインクリメントし、ステップ８６で炊飯キー受付回数が３回と判定されれば、ステップ８７で炊飯キー受付回数カウンタの初期化を行った後、ステップ８８にてデモモード２への移行処理を行う。
【００２５】
第３の記憶手段７１に記憶されたデモモード２では、加熱手段７を加熱状態に保ったデモが行われる。炊飯キーでなければ、ステップ８９で炊飯キー受付回数カウンタを初期化し、ステップ４７で予約キー受付回数カウンタを初期化した後、デモキー受付処理を終了する。
【００２６】
なお、本実施例では、現在時刻設定モードのＬＣＤ点滅中における無効キーである予約キーの３回連続入力と炊飯キーの３回連続入力とをデモキーとしているが、現在時刻設定モードのＬＣＤ点滅中における他の無効キーの連続入力をデモキーとすることも可能であり、連続受付回数も特に３回でなくともよい。また、デモキーの受付可能可能時間を５秒としているが、特に５秒でなくともよい。また、デモキーの受付可能なモードを現在時刻設定モードとしているが、他のモードに設定してもよい。また、デモモード１では加熱手段７を非加熱状態、デモモード２では加熱手段７を加熱状態に保ったデモとしたが、特にデモモード１が非加熱状態、デモモード２が加熱状態のデモでなくともよい。
【００２７】
（実施例４）
以下、本発明の請求項５記載のの実施例について図９を中心に用いて説明する。図９において図３及び図８と同じ番号の箇所はそれぞれ図３及び図８と同じ内容であるため、特に説明はしない。
図９のステップ９１は図８のステップ８６の炊飯キー受付回数を３回から５回にしたものであり、本実施例では、デモ１は予約キー連続３回受付でデモ１モードへ、デモ２は炊飯キー連続５回受付でデモ２モードへ移行する。デモモード１では、加熱手段７を非加熱状態に保ったデモが行われ、デモモード２では、加熱手段７を加熱状態に保ったデモが行われる。
【００２８】
なお、本実施例では現在時刻設定モードのＬＣＤ点滅中における無効キーである予約キーの３回連続入力と炊飯キーの５回連続入力とをデモキーとしているが、現在時刻設定モードのＬＣＤ点滅中における他の無効キーの連続入力をデモキーとすることも可能であり、連続受付回数もそれぞれ特に３回、５回でなくともよい。また、デモキーの受付可能可能時間を５秒としているが、特に５秒でなくともよい。また、デモキーの受付可能なモードを現在時刻設定モードとしているが、他のモードに設定してもよい。また、デモモード１では加熱手段７を非加熱状態、デモモード２では加熱手段７を加熱状態に保ったデモとしたが、特にデモモード１が非加熱状態、デモモード２が加熱状態のデモでなくともよい。
【００２９】
【発明の効果】
以上のように、請求項１記載の発明によれば、炊飯保温の各工程における受付不可能なキーを選定する制御手段を備え、前記制御手段は、前記受付不可能なキーが所定回数の操作された場合にデモンストレーションモードを実行してなることにより、デモキーの入力を容易に行うことができる。
【００３０】
また、請求項２に記載の発明によれば、キー操作が所定時間内に操作された場合にのみデモンストレーションモードを実行してなることにより、偶発的にデモキーを受け付ける可能性を抑制できる。
【００３１】
また、請求項３に記載の発明によれば、デモンストレーションモードを所定時間内で自動終了させてなることにより、偶発的にデモモードに入った場合の安全性を確保できる。
【００３２】
また、請求項４に記載の発明によれば、複数のデモンストレーションモードと、前記複数のデモンストレーションモードに応じた複数のキー操作を有してなることにより、機能説明を容易かつ端的に使用実態に則して行うことができる。
【００３３】
さらに、請求項５に記載の発明によれば、複数のキー操作は、入力回数の相違で実現されてなることにより、デモモード毎に偶発的にデモモードに入る可能性を管理できる。
【図面の簡単な説明】
【図１】  本発明の第１の実施例における炊飯器の機能ブロック図
【図２】  同炊飯器のモード処理手段の要部を示すフローチャート
【図３】  同炊飯器のキー入力処理手段の要部を示すフローチャート
【図４】  同炊飯器のデモキー判別処理を示すフローチャート
【図５】  同炊飯器のモード処理手段の要部を示すフローチャート
【図６】  本発明の第２の実施例における炊飯器のモード処理手段の要部を示すフローチャート
【図７】  本発明の第３の実施例における炊飯器の機能ブロック図
【図８】  同炊飯器のデモキー判別処理を示すフローチャート
【図９】  本発明の第４の実施例におけるデモキー判別処理を示すフローチャート
【図１０】  従来例における炊飯器のキー入力処理手段の要部を示すフローチャート
【図１１】  同炊飯器の別のキー入力処理手段の要部を示すフローチャート
【符号の説明】
１  キー入力手段
２  キー入力処理手段
３  第１の記憶手段
４  第２の記憶手段
５  モード処理手段
６  制御手段
７  加熱手段
８  表示手段
９  報知手段
７１  第３の記憶手段
【図１】
0003651174.tif 000002
【図２】
0003651174.tif 000003
【図３】
0003651174.tif 000004
【図４】
0003651174.tif 000005
【図５】
0003651174.tif 000006
【図６】
0003651174.tif 000007
【図７】
0003651174.tif 000008
【図８】
0003651174.tif 000009
【図９】
0003651174.tif 000010
【図１０】
0003651174.tif 000011
【図１１】
0003651174.tif 000012